(57)【要約】      （修正有）【課題】容器具本体の材質や蓋部の材質が陶磁器製やガラス製である場合に蓋部の落下が防げる容器具の提供。【解決手段】１０は例えば茶葉等を熱水で抽出する為の容器具本体であり、１１は抽出容器具１０の上部に設けた頭部開口部であり、１２は抽出容器具本体１０の外部に注ぐ為の注ぎ口であり、１３は抽出容器具本体１０の任意の部位に設けた取っ手であり、２０は頭部開口部１１に着脱可能なように適合させた大きさの蓋部本体であり、２１は蓋部本体２０の下部に形成され頭部開口部１１との接触可能部位である開口部接触部位で円筒形状に形成され、２２は蓋部本体２０の上部に形成され頭部開口部１１を開放したり閉じたりする機能を持たせた開口部開閉機能であり、２３は開口部開閉機能２２の上部に設けたツマミであり、Ｓ１０は開口部接触部位２１の円周に着脱可能に装着できるようにした帯状具である。【選択図】図１
0003134390.tif 000002
【実用新案登録請求の範囲】
【請求項１】
コーヒー、茶葉、ハーブ、薬草、等を液体で抽出するための容器具であって、前記抽出容器具には、多少の液体を受容するための頭部開口部を備え、前記抽出液体を前記抽出容器具外に注ぐための注ぎ口を備え、必要な場合に取っ手を備え、前記頭部開口部に着脱可能なように適合させた大きさの蓋部を備えてあり、前記蓋部には前記頭部開口部との接触可能部位に所定幅で所定長さの帯状具を設けたことを特徴とする、蓋の落下防止手段を備えた容器具。
【請求項２】
液体の調味料や粉体の調味料を収納するための容器具であり、前記調味料容器具には、多少の前記調味料を受容するための頭部開口部を備え、前記調味料を前記調味料容器具外に注ぐための注ぎ口を備え、必要な場合に取っ手を備え、前記頭部開口部に着脱可能なように適合させた大きさの蓋部を備えてあり、前記蓋部には前記頭部開口部との接触可能部位に所定幅で所定長さの帯状具を設けたことを特徴とする、蓋の落下防止手段を備えた容器具。
【請求項３】
前記帯状具の片面または両面の長手方向に、所定寸法で少なくとも一つの、凸状、凹状、波状、突起状、をこの中から選択または組合わせて形成させることを特徴とする、請求項１または請求項２に記載の蓋の落下防止手段を備えた容器具。
【請求項４】
前記帯状具の材質に関しては、透明または半透明または不透明タイプの中から選択して使用することを特徴とする、請求項１から請求項３のいずれかに記載の蓋の落下防止手段を備えた容器具。
【請求項５】
前記帯状具の材質が、シリコン樹脂、シリコンゴム、耐熱プラスチック、不活性プラスチック、耐熱ゴム、不活性ゴム、の中から選択して使用することを特徴とする、請求項１から請求項３のいずれかに記載の蓋の落下防止手段を備えた容器具。
【考案の詳細な説明】
【技術分野】
【０００１】  本考案は、コーヒー、茶葉、ハーブ、薬草、等を液体で抽出するための容器具、または液体の調味料や粉体の調味料を収納するための容器具であり、前記抽出容器具または前記調味料容器具に設けてある蓋部において、所定幅で所定長さの帯状具を設けたことで蓋の落下防止手段を備えた容器具に関するものである。
【背景技術】
【０００２】  従来、コーヒー、茶葉、ハーブ、薬草、等を液体で抽出するための容器具や液体の調味料や粉体の調味料を収納するための容器具であり、本体の任意の部位に注ぎ口を備え、頭部に開口部を備え、必要な場合に取っ手を備え、この頭部開口部に着脱可能なように適合させた大きさの蓋部を着脱可能にかつ固着しない状態で備えてある容器具が一般的に知られている。【０００３】  ところが、従来のこのような容器具を使用する場合には、容器具を一定の角度に傾ける必要があり、このときに蓋部が開口部から脱落する場合が多く、この容器具の利用者が蓋部が脱落しないように指や掌で保持しながら使用する場合が多いことが指摘されていた。【０００４】  そこで、近年になって、上述した問題点を解決するための開発がなされるようになってきた。
例えば、土瓶、急須等陶磁器製の茶注器用の蓋にして茶注器本体の茶注口の着脱自在、該茶注口洩れ、該茶注器本体の蓋落下を防止する蓋であり、茶注器本体の開口部に角度を付け、該本体開口部角度と同角度の蓋に溝を作り、該蓋にパッキンを取付け該本体開口部と蓋との間をパッキンにて嵌合し茶注器開口部の湯洩れ、該蓋の落下防止されることを特徴とする茶注器等の落ちない蓋の開発案件が知られている。（実用新案出願公開、昭６２−１３０５３０号公報を参照する）
【考案の開示】
【考案が解決しようとする課題】
【０００５】  ところが、実用新案出願公開、昭６２−１３０５３０号公報の開発案件では、茶注器本体の開口部に角度を付けたり、該本体開口部角度と同角度の蓋に溝を作る必要があり、陶磁器製の茶注器本体に精度良く角度を付けたり、陶磁器製の蓋に精度良く角度を付けたり溝を設けたりすることは、製造コストが上昇する要因になり、角度の精度が良くない場合や溝の精度が良くない場合には、茶注器開口部の湯洩れや該蓋の落下防止の性能に関して問題が生じやすいという業界関係者からの指摘がなされている。
また、この開発案件で使用するパッキンがリング状態になっていなければならず、パッキンを製品に合わせて製造しようとすると、相当規模の数量を生産しないと経済的に不利であり、市販のリング状パッキンを利用しようとすると、入手できるパッキンの寸法に合わせて陶磁器製の茶注器本体や陶磁器製の蓋を製造する必要があり、マーケティング的に不利であるという指摘がなされている。【０００７】  本考案は、上記の課題を解決するために成されたものであり、コーヒー、茶葉、ハーブ、薬草、等を液体で抽出するための容器具や液体の調味料や粉体の調味料を収納するための容器具の材質やこの容器具に適合させた蓋部の材質が陶磁器製やガラス製であっても、それぞれの精度に多少の問題があっても蓋部の落下防止という性能が発揮可能な容器具の提供を目的とする。
また、この考案で使用する蓋部の落下防止手段がリング状態になっていない場合でも性能を発揮できる蓋部の落下防止手段の提供を目的とする。
【課題を解決するための手段】
【０００９】  課題を解決するための第一の手段は、コーヒー、茶葉、ハーブ、薬草、等を液体で抽出するための容器具であって、前記抽出容器具には、多少の液体を受容するための頭部開口部を備え、前記抽出液体を前記抽出容器具外に注ぐための注ぎ口を備え、必要な場合に取っ手を備え、前記頭部開口部に着脱可能なように適合させた大きさの蓋部を備えてあり、前記蓋部には前記頭部開口部との接触可能部位に所定幅で所定長さの帯状具を設けたことを特徴とする、蓋の落下防止手段を備えた容器具を提供することである。【００１０】  前記茶葉に関しては、緑茶、紅茶（ただし全発酵タイプであれば紅茶以外でも使用可能）、中国茶を含むものとする。前記中国茶に関しては、茶はもともと中国原産であるので、茶葉を使用して淹れる茶のすべてを中国茶と呼ぶこともできるが、ここでは中国および台湾で製造され、かつ好まれて飲まれるものを「中国茶」として記述する。現在、中国茶として飲まれるものを詳細に分類すると数千種にも及ぶとされるが、製法によって大きく６種類（青茶・黒茶・緑茶・紅茶・白茶・黄茶）に分けられる。これらを六大茶類と呼ぶ。中国や台湾はいうに及ばず、世界中にその愛好者を持っている。（出典：フリー百科事典『ウィキペディア（Ｗｉｋｉｐｅｄｉａ）』）
前記液体に関しては、冷水（０℃〜１０℃）、室温水（１０℃〜３０℃）、温水（３０℃〜５０℃）、熱水（５０℃〜１００℃）、などが使用できる。ここで使用する水に関しては、水道水、湧き水、井戸水、ミネラルウオーター、フィルターろ過水、中性電解水、アルカリ電解水、セラミックろ過水、ミネラル石抽出水、などから選択または組合わせて用いることができる。【００１１】  前記抽出容器具（本体、頭部開口部、注ぎ口、取っ手（本考案の実施者が必要と判断した場合に設ける）、蓋部という構造になっている）に関しては、材質の成分や臭いを水中に放出することなく少なくとも６０℃以上の温度を持つ水との接触に耐え得る不活性な材質から出来ていれば何を用いても構わないが、陶器、磁器、ガラス、耐熱ガラス、強化ガラス、金属、耐熱性プラスチック類、あるいはこれらの混合物のいずれかから出来ていることが好ましい。また、この材質に関しては、透明または半透明または不透明な材質を選択してまたは組合わせて用いることが可能である。また、前記取っ手に関しては、プラスチックや木質の使用も可能である。【００１２】  前記蓋部に関しては、前記蓋部の下部に形成し前記抽出容器具の頭部開口部との接触可能部位である開口部接触部位と、前記蓋部の上部に形成し前記抽出容器具の頭部開口部を開放したり閉じたりする機能を持たせた開口部開閉機能と、前記開口部開閉機能の上部に主に指を用いて前記蓋部を前記頭部開口部に装着したり前記頭部開口部から取り外したりする場合に用いるツマミが設けられた構造になっていて、このツマミの材質に関しては、プラスチックや木質の使用も可能である。
前記帯状具の幅に関しては、前記開口部接触部位が略円筒形または略円柱形になっている場合には、対象となる蓋部の寸法に合わせた略円筒形または略円柱形の高さから外れる寸法になっていなければよい。前記帯状具の長さに関しては、前記開口部接触部位が略円筒形または略円柱形になっている場合には、対象となる蓋部の寸法に合わせた略円筒形または略円柱形の円周と同等かそれ以下であれば構わないが、最小長さが前記円周の１０％以上であることが好ましい。前記帯状具の厚みに関しては、１μｍ〜１０ｍｍの間で設定することが可能である。
前記帯状具と前記開口部接触部位との関係に関しては、着脱可能な関係でも良いし、固着された関係でも良いし、接着された関係でも良い。【００１３】  課題を解決するための第二の手段は、液体の調味料や粉体の調味料を収納するための容器具であり、前記調味料容器具には、多少の前記調味料を受容するための頭部開口部を備え、前記調味料を前記調味料容器具外に注ぐための注ぎ口を備え、必要な場合に取っ手を備え、前記頭部開口部に着脱可能なように適合させた大きさの蓋部を備えてあり、前記蓋部には前記頭部開口部との接触可能部位に所定幅で所定長さの帯状具を設けたことを特徴とする、蓋の落下防止手段を備えた容器具を提供することである。【００１４】  前記液体調味料に関しては、醤油、ソース（ウスターソース、ホワイトソース、ベシャメルソース、など）、ドレッシング（和風味、中華、イタリアン、フレンチ、ノンオイルタイプ、など）、調味油（オリーブオイル、ゴマ油、ラー油、など）、食酢（醸造酢、りんご酢、穀物酢、米酢、など）、などが使用できる。
前記粉体調味料に関しては、スパイス（胡椒、シナモン、ターメリック、など一般的に市販されている香辛料）、塩（海塩、岩塩、精製塩、など）、乾燥ハーブ、などが使用できる。【００１５】  前記調味料容器具（本体、頭部開口部、注ぎ口、取っ手（本考案の実施者が必要と判断した場合に設ける）、蓋部という構造になっている）に関しては、材質の成分や臭いを水中に放出することのない不活性な材質から出来ていれば何を用いても構わないが、陶器、磁器、ガラス、金属、プラスチック類、木質類あるいはこれらの混合物のいずれかから出来ていることが好ましい。また、この材質に関しては、透明または半透明または不透明な材質を選択してまたは組合わせて用いることが可能である。
また、前記プラスチック類に関しては、アクリル系樹脂、ＡＢＳ樹脂、ポリプロピレン、ポリエチレン、ポリスチレン、塩化ビニール等、を単独または組合せて用いることができる。【００１６】  前記蓋部に関しては、前記蓋部の下部に形成し前記抽出容器具の頭部開口部との接触可能部位である開口部接触部位と、前記蓋部の上部に形成し前記抽出容器具の頭部開口部を開放したり閉じたりする機能を持たせた開口部開閉機能と、前記開口部開閉機能の上部に主に指を用いて前記蓋部を前記頭部開口部に装着したり前記頭部開口部から取り外したりする場合に用いるツマミが設けられた構造になっている。
前記帯状具の幅に関しては、前記開口部接触部位が略円筒形または略円柱形になっている場合には、対象となる蓋部の寸法に合わせた略円筒形または略円柱形の高さから外れる寸法になっていなければよい。前記帯状具の長さに関しては、前記開口部接触部位が略円筒形または略円柱形になっている場合には、対象となる蓋部の寸法に合わせた略円筒形または略円柱形の円周と同等かそれ以下であれば構わないが、最小長さが前記円周の１０％以上であることが好ましい。前記帯状具の厚みに関しては、１μｍ〜１０ｍｍの間で設定することが可能である。
前記帯状具と前記開口部接触部位との関係に関しては、着脱可能な関係でも良いし、固着された関係でも良いし、接着された関係でも良い。【００１７】  課題を解決するための第三の手段は、前記帯状具の片面または両面の長手方向に、所定寸法で少なくとも一つの、凸状、凹状、波状、突起状、をこの中から選択または組合わせて形成させることを特徴とする、課題を解決するための第一の手段または課題を解決するための第二の手段に記載の蓋の落下防止手段を備えた容器具を提供することである。【００１８】  前記凸状帯状具に関しては、片面または両面の長手方向に、少なくとも一つの凸状が形成されるような手段を用いて成形されるが、前記凸状の長さに関しては前記帯状具の本体の長さに準じてもよいし前記帯状具の本体の長さ以下でも構わず特に制限はない。前記凸状の幅に関しては、前記凸状が少なくとも一つの場合は前記帯状具の本体の幅の５０％以下が好ましく、前記凸状が少なくとも二つの場合は前記帯状具の本体の幅の３０％以下が好ましい。
前記凹状帯状具に関しては、片面または両面の長手方向に、少なくとも一つの凹状が形成されるような手段を用いて成形されるが、前記凹状の長さに関しては前記帯状具の本体の長さに準じてもよいし前記帯状具の本体の長さ以下でも構わず特に制限はない。前記凹状の幅に関しては、前記凹状が少なくとも一つの場合は前記帯状具の本体の幅の５０％以下が好ましく、前記凹状が少なくとも二つの場合は前記帯状具の本体の幅の３０％以下が好ましい。
前記波状帯状具に関しては、片面または両面の長手方向に、少なくとも一つの波状が形成されるような手段を用いて成形されるが、前記波状の長さに関しては前記帯状具の本体の長さに準じてもよいし前記帯状具の本体の長さ以下でも構わず特に制限はない。前記波状の幅に関しては、前記波状が少なくとも一つの場合は前記帯状具の本体の幅の５０％以下が好ましく、前記波状が少なくとも二つの場合は前記帯状具の本体の幅の３０％以下が好ましい。
前記突起状帯状具に関しては、片面または両面の長手方向に、少なくとも一つの突起状が形成されるような手段を用いて成形されるが、前記突起状の長さに関しては前記帯状具の本体の長さに準じてもよいし前記帯状具の本体の長さ以下でも構わず特に制限はない。前記突起状の幅に関しては、前記突起状が少なくとも一つの場合は前記帯状具の本体の幅の５０％以下が好ましく、前記突起状が少なくとも二つの場合は前記帯状具の本体の幅の３０％以下が好ましい。【００１９】  課題を解決するための第四の手段は、前記帯状具の材質に関しては、透明または半透明または不透明タイプの中から選択して使用することを特徴とする、課題を解決するための第一の手段から課題を解決するための第三の手段のいずれかに記載の蓋の落下防止手段を備えた容器具を提供することである。【００２０】  前記透明帯状具の材質に関しては、柔軟性または可撓性を備え、耐熱性（約６０℃〜約２００℃）、耐水性、耐油性、耐酸性、耐アルカリ性、などを備え光の透過度が約６０％〜約１００％の範囲の材質が使用可能である。
前記半透明帯状具の材質に関しては、柔軟性または可撓性を備え、耐熱性（約６０℃〜約２００℃）、耐水性、耐油性、耐酸性、耐アルカリ性、などを備え光の透過度が約１０％〜約６０％の範囲の材質が使用可能である。
前記不透明帯状具の材質に関しては、柔軟性または可撓性を備え、耐熱性（約６０℃〜約２００℃）、耐水性、耐油性、耐酸性、耐アルカリ性、などを備え光の透過度が約０％〜約１０％の範囲の材質が使用可能である。【００２１】  課題を解決するための第五の手段は、前記帯状具の材質が、シリコン樹脂、シリコンゴム、耐熱プラスチック、不活性プラスチック、耐熱ゴム、不活性ゴム、の中から選択して使用することを特徴とする、課題を解決するための第一の手段から課題を解決するための第三の手段のいずれかに記載の蓋の落下防止手段を備えた容器具を提供することである。【００２２】  前記シリコン樹脂に関しては、シリコーン樹脂やケイ素樹脂とも呼ばれていて、オルガノポリシロキサン類の中の樹脂の形体をもつタイプであれば全て使用可能である。
前記シリコンゴムに関しては、シリコーンゴムやケイ素ゴムとも呼ばれていて、オルガノポリシロキサン類の中のゴムの形体をもつタイプであれば全て使用可能である。
前記耐熱プラスチックに関しては、アクリル系樹脂（１００℃）、ＡＢＳ樹脂（８０℃〜９０℃）、ＡＳ樹脂（８５℃〜１００℃）、ポリプロピレン（８５℃〜１１０℃）、ポリカーボネート（１３２℃）、フッ素樹脂（２００℃〜２６０℃）、などが知られており、これらの中から選択して用いればよい。
前記不活性プラスチックに関しては、耐酸性、耐アルカリ性、耐塩化物性、耐油性、を示すプラスチックスの中から選択して用いればよい。
前記耐熱ゴムに関しては、クロロプレンゴム（〜１２０℃）、ブチルゴム（〜１３０℃）、エチレンプロピレンゴム（〜１３０℃）、アクリルゴム（〜１８０℃）、フッ素ゴム（〜２８０℃）、などが知られており、これらの中から選択して用いればよい。
前記不活性ゴムに関しては、耐酸性、耐アルカリ性、耐塩化物性、耐油性、を示すゴム類の中から選択して用いればよい。
【考案の効果】
【００２４】  請求項１の考案によって、コーヒー、茶葉、ハーブ、薬草、等を例えば熱水を用いて抽出した容器具内の抽出液体を、前記容器具を傾けてカップや茶わんに注ぐ場合でも、蓋部の落下や前記抽出液体の洩れを心配しないで安心して使用できる容器具の提供が可能になる。【００２５】  請求項２の考案によって、液体の調味料や粉体の調味料を収納するための容器具を傾けて、料理や皿やナベの中に前記液体調味料や前記粉体調味料を添加しようとする場合でも、蓋部の落下や前記液体調味料や前記粉体調味料の洩れを心配しないで安心して使用できる容器具の提供が可能になる。【００２６】  請求項３の考案によって、前記蓋部の形成の精度や前記抽出容器具の頭部開口部の形成の精度に問題があったり、前記頭部開口部の前記開口部接触部位との接触部位と前記開口部接触部位との間隔に多少の誤差が生じても、精度の問題や前記間隔の誤差を相殺することが可能になり、上述したような本考案を使用しても蓋部の落下防止という性能が発揮でき、本考案の使用者には安心して使用できる容器具の提供が可能になる。【００２７】  請求項４の考案によって、前記抽出容器具や前記調味料容器具に透明の材質を用いても、前記帯状具の材質に透明または半透明の材質を選択して使用することで、本考案の使用時でも不使用時でも前記帯状具の存在が目立つことがないために、デザイン性や使用感や美感に優れた蓋の落下防止手段を備えた容器具が提供できる。
前記抽出容器具や前記調味料容器具に半透明の材質を用いても、前記帯状具の材質に透明または半透明の材質を選択して使用することで、本考案の使用時でも不使用時でも前記帯状具の存在が目立つことがないために、デザイン性や使用感や美感に優れた蓋の落下防止手段を備えた容器具が提供できる。
前記抽出容器具や前記調味料容器具に不透明の材質を用いても、前記帯状具の材質に透明または半透明の材質を選択して使用することで、前記抽出容器具や前記調味料容器具の質感や色やデザインに左右されることがないために、デザイン性や使用感や美感に優れた蓋の落下防止手段を備えた容器具が提供できる。【００２８】  請求項５の考案によって、前記帯状具の材質が、シリコン樹脂、シリコンゴム、耐熱プラスチック、耐熱ゴム、であることで、前記抽出容器具に熱水を使用しても、前記抽出容器具を加熱して使用しても、前記帯状具が劣化したり破損したりして前記抽出容器具内の前記液体に影響を与えることが少ない、蓋の落下防止手段を備えた容器具が提供できる。また前記帯状具の材質が、シリコン樹脂、シリコンゴム、不活性プラスチック、不活性ゴム、であることで、前記調味料容器具内にどんな液体調味料や粉体調味料を収納しても、前記帯状具が劣化したり破損したりして前記調味料容器具内の液体調味料や粉体調味料に影響を与えることが少ない、蓋の落下防止手段を備えた容器具が提供できる。
【考案を実施するための最良の形態】
【００３０】  以下、本考案の蓋の落下防止手段を備えた容器具の実施の形態について、図１〜図８に基づいて説明する。
図１は本考案の実施の形態例を示す断面図である。図２は図１の蓋部の実施の形態例を示す側面図である。図３は本考案の実施の形態例を示す断面図である。図４は図３の蓋部の実施の形態例を示す側面図である。図５は蓋部の実施の形態例を示す側面図である。図６は蓋部の実施の形態例を示す側面図である。図７は蓋部の実施の形態例を示す側面図である。図８は蓋部の実施の形態例を示す側面図である。
【実施例１】
【００３１】  図１と図２よる実施の形態例を説明すると、１０はコーヒー、茶葉、ハーブ、薬草、等を例えば熱水で抽出するための容器具本体であり透明耐熱ガラスで形成され、１１は抽出容器具本体１０の上部に設け多少の液体を受容するための頭部開口部であり、１２は抽出容器具本体１０の内部で抽出された抽出液体を抽出容器具本体１０の外部に注ぐための注ぎ口であり本体と同じ材質で形成され、１３は抽出容器具本体１０の任意の部位に設けた取っ手であり本体と同じ材質で形成されている。２０は頭部開口部１１に着脱可能なように適合させた大きさの蓋部本体であり抽出容器具本体１０と同じ材質で形成され、２１は蓋部本体２０の下部に形成され抽出容器具本体１０の頭部開口部１１との接触可能部位である開口部接触部位であり蓋部本体２０と同じ材質で円筒形状に形成され、２２は蓋部本体２０の上部に形成され抽出容器具本体１０の頭部開口部１１を開放したり閉じたりする機能を持たせた開口部開閉機能であり蓋部本体２０と同じ材質でドーム形状に形成され、２３は開口部開閉機能２２の上部には主に指を用いて蓋部本体２０を頭部開口部１１に装着したり頭部開口部１１から取り外したりする場合に用いるツマミであり蓋部本体２０と同じ材質で略球体に形成されている。Ｓ１０は開口部接触部位２１の円周に着脱可能に装着でき開口部接触部位２１の高さより小さくなるようリング状に形成し半透明なシリコンゴム製で厚さが略１ｍｍ程度になるよう形成した帯状具である。
【実施例２】
【００３２】  図３と図４よる実施の形態例を説明すると、３０は液体の調味料や粉体の調味料を収納するための調味料容器具本体であり透明薄肉強化ガラスで形成され、３１は調味料容器具本体３０の上部に設け多少の液体調味料や粉体調味料を受容するための頭部開口部であり、３２は調味料容器具本体３０の内部に収納された液体調味料や粉体調味料を調味料容器具本体３０の外部に注ぐための注ぎ口であり本体と同じ材質で形成され、４０は頭部開口部３１に着脱可能なように適合させた大きさの蓋部本体であり調味料容器具本体３０と同じ材質で形成され、４１は蓋部本体４０の下部に形成され調味料容器具本体３０の頭部開口部３１との接触可能部位である開口部接触部位であり蓋部本体４０と同じ材質で円筒形状に形成され、４２は蓋部本体４０の上部に形成され調味料容器具本体３０の頭部開口部３１を開放したり閉じたりする機能を持たせた開口部開閉機能であり蓋部本体４０と同じ材質でドーム形状に形成され、４３は開口部開閉機能４２の上部には主に指を用いて蓋部本体４０を頭部開口部３１に装着したり頭部開口部３１から取り外したりする場合に用いるツマミであり蓋部本体４０と同じ材質で略球体に形成されている。Ｓ２０は開口部接触部位４１の円周に着脱可能に装着でき開口部接触部位４１の高さより小さくなるようリング状に形成し半透明なシリコンゴム製で厚さが略１ｍｍ程度になるよう形成した帯状具である。
【実施例３】
【００３３】  課題を解決するための第三の手段は、前記帯状具の片面または両面の長手方向に、所定寸法で少なくとも一つの、凸状、凹状、によって、蓋の落下防止手段を備えた容器具を提供することである。
前記凸状帯状具に関しては、片面または両面の長手方向に、少なくとも一つの凸状が形成されるような手段を用いて成形されるが、前記凸状の長さに関しては前記帯状具の本体の長さに準じてもよいし前記帯状具の本体の長さ以下でも構わず特に制限はない。前記凸状の幅に関しては、前記凸状が少なくとも一つの場合は前記帯状具の本体の幅の５０％以下が好ましく、前記凸状が少なくとも二つの場合は前記帯状具の本体の幅の３０％以下が好ましい。
前記凹状帯状具に関しては、片面または両面の長手方向に、少なくとも一つの凹状が形成されるような手段を用いて成形されるが、前記凹状の長さに関しては前記帯状具の本体の長さに準じてもよいし前記帯状具の本体の長さ以下でも構わず特に制限はない。前記凹状の幅に関しては、前記凹状が少なくとも一つの場合は前記帯状具の本体の幅の５０％以下が好ましく、前記凹状が少なくとも二つの場合は前記帯状具の本体の幅の３０％以下が好ましい。【００３４】  図５の実施の形態例を説明すると、実施例１の蓋部本体２０の開口部接触部位２１に着脱可能に装着した帯状具Ｓ１０のタイプの帯状具の片面の長手方向に、少なくとも一つの凸状を形成させた帯状具Ｓ３０の実施例において、帯状具Ｓ３０の長手方向の略中央部に帯状具Ｓ１０のタイプの帯状具の幅の２０％〜３０％に相当する寸法の凸状Ｓ３１を形成させているが、凸状Ｓ３１の凸状の高さに関しては凸状Ｓ３１の幅寸法の５０％〜１００％の範囲が好ましい。凸状Ｓ３１の形成手段に関しては上述した条件になるような金型を用いて成形するか上述した条件になるような凸状を帯状具Ｓ１０のタイプの帯状具の片面の長手方向に接着または固着させてもよい。
【実施例４】
【００３５】  図６の実施の形態例を説明すると、実施例２の蓋部本体４０の開口部接触部位４１に着脱可能に装着した帯状具Ｓ２０のタイプの帯状具の片面の長手方向に、少なくとも一つの凸状を形成させた帯状具Ｓ４０の実施例において、帯状具Ｓ４０の長手方向の略中央部に帯状具Ｓ２０のタイプの帯状具の幅の２０％〜３０％に相当する寸法の凸状Ｓ４１を形成させているが、凸状Ｓ４１の凸状の高さに関しては凸状Ｓ４１の幅寸法の５０％〜１００％の範囲が好ましい。凸状Ｓ４１の形成手段に関しては上述した条件になるような金型を用いて成形するか上述した条件になるような凸状を帯状具Ｓ２０のタイプの帯状具の片面の長手方向に接着または固着させてもよい。
【実施例５】
【００３６】  図７の実施の形態例を説明すると、実施例１の蓋部本体２０の開口部接触部位２１に着脱可能に装着した帯状具Ｓ１０のタイプの帯状具の片面の長手方向に、少なくとも一つの凹状を形成させた帯状具Ｓ５０の実施例において、帯状具Ｓ５０の長手方向の略中央部に帯状具Ｓ１０のタイプの帯状具の幅の２０％〜３０％に相当する寸法の凹状Ｓ５１を形成させているが、凹状Ｓ５１の凹状の溝に関しては凹状Ｓ５１の幅寸法の５０％〜１００％の範囲が好ましい。凹状Ｓ５１の形成手段に関しては上述した条件になるような金型を用いて成形するのが好ましい。
【実施例６】
【００３７】  図８の実施の形態例を説明すると、実施例２の蓋部本体４０の開口部接触部位４１に着脱可能に装着した帯状具Ｓ２０のタイプの帯状具の片面の長手方向に、少なくとも一つの凹状を形成させた帯状具Ｓ６０の実施例において、帯状具Ｓ６０の長手方向の略中央部に帯状具Ｓ２０のタイプの帯状具の幅の２０％〜３０％に相当する寸法の凹状Ｓ６１を形成させているが、凹状Ｓ６１の凹状の溝に関しては凹状Ｓ６１の幅寸法の５０％〜１００％の範囲が好ましい。凹状Ｓ６１の形成手段に関しては上述した条件になるような金型を用いて成形するのが好ましい。
【実施例７】
【００３８】  次に図１と図２と図５と図７より実施例１の作用を説明する。
本考案の使用者は、抽出容器具本体１０内に頭部開口部１１を経由して、適量のコーヒー豆の粉砕物または茶葉またはハーブまたは薬草を入れた後に適量の熱水を注入し、蓋部本体２０の開口部接触部位２１の外周内に、帯状具Ｓ１０または帯状具Ｓ３０または帯状具Ｓ５０を装着した後に、開口部接触部位２１を頭部開口部１１内に嵌合させ適当な時間静置させる。適当な時間経過後に、取っ手１３を介して抽出容器具本体１０を手で持ち上げ、目標とするカップ内（図示せず）に注ぎ口１２を介して抽出容器具本体１０内の抽出液体を注ぐために抽出容器具本体１０の全体を傾斜させるが蓋部本体２０は落下せず、本考案の使用者は安全にかつ安心してカップ内（図示せず）に抽出容器具本体１０内の抽出液体を注ぐことができ、この抽出液体を味わうことができた。
【実施例８】
【００３９】  次に図３と図４と図６と図８より実施例２の作用を説明する。
本考案の使用者は、調味料容器具本体３０内に頭部開口部３１を経由して、適量の液体調味料を入れた後に、蓋部本体４０の開口部接触部位４１の外周内に、帯状具Ｓ２０または帯状具Ｓ４０または帯状具Ｓ６０を装着した後に、開口部接触部位４１を頭部開口部３１内に嵌合させ、調味料容器具本体３０の任意の部位を手で持ち上げ、目標とする料理またはナベ内（図示せず）に注ぎ口３２を介して調味料容器具本体３０内の液体調味料を注ぐために調味料容器具本体３０の全体を傾斜させるが蓋部本体４０は落下せず、本考案の使用者は安全にかつ安心して料理またはナベ内（図示せず）に調味料容器具本体３０内の液体調味料を注ぐことができ、この料理を味わうことができた。
【産業上の利用可能性】
【００５０】  本考案の蓋の落下防止手段は、容器具本体に液体や粉体を内部に収納した後に容器具本体の外部に注ぐための注ぎ口を設け、容器具本体の上部に蓋部を着脱可能に嵌合状態で設けてあるタイプの容器具には概ね応用が可能であり、産業上有用な考案である。
【図面の簡単な説明】
【００５１】
【図１】本考案の実施の形態例を示す断面図である。
【図２】図１の蓋部の実施の形態例を示す側面図である。
【図３】本考案の実施の形態例を示す断面図である。
【図４】図３の蓋部の実施の形態例を示す側面図である。
【図５】蓋部の実施の形態例を示す側面図である。
【図６】蓋部の実施の形態例を示す側面図である。
【図７】蓋部の実施の形態例を示す側面図である。
【図８】蓋部の実施の形態例を示す側面図である。
【符号の説明】
【００５２】１０：抽出容器具本体
１１，３１：頭部開口部
１２，３２：注ぎ口
１３：取っ手
２０，４０：蓋部本体
２１，４１：開口部接触部位
２２，４２：開口部開閉機能
２３，４３：ツマミ
３０：調味料容器具本体
Ｓ１０，Ｓ２０，Ｓ３０，Ｓ４０，Ｓ５０，Ｓ６０：帯状具
Ｓ３１，Ｓ４１：凸状
Ｓ５１，Ｓ６１：凹状
【図１】
0003134390.tif 000003
【図２】
0003134390.tif 000004
【図３】
0003134390.tif 000005
【図４】
0003134390.tif 000006
【図５】
0003134390.tif 000007
【図６】
0003134390.tif 000008
【図７】
0003134390.tif 000009
【図８】
0003134390.tif 000010